(57)【要約】 【課題】本発明は、ドライバーに関する発明である。【解決手段】本発明は、上部が湾曲面４ａを形成し下部に接続部４ｄを備え更に接続部４ｄの底面から下方に向かって先端部が突出するようにビット４ｅを備えた上ドライバー本体４と上下開口部５ｄ、５ｅを設け外周面に凹凸５ｂを形成し前記上ドライバー本体４の中央から上部にかけた外周面を覆う上ドライバー本体カバー５からなる上ドライバー２と、六角孔６ｉ及びビット挿入孔６ｊを穿設した上接続部６ａと中央から先端部が突出した状態でビット６ｃを備えた下接続部６ｂを備えた下ドライバー本体６と上下開口部７ｄ、７ｇを設け表面に凹凸７ａを形成し前記下ドライバー本体６の上部外周面を覆う下ドライバー本体カバー７からなり前記上ドライバー２の接続部４ｇを六角孔６ｉに嵌入し同時に突出したビット４ｅの先端部をビット挿入孔６ｊに嵌入することで上ドライバー２と着脱可能に連結される下ドライバー３とからなることを特徴とする親子ドライバー１の構成とした。【選択図】  図２
2008049417.tif 000002
【特許請求の範囲】
【請求項１】
上部が湾曲面を形成し下部に接続部を備え更に接続部の底面から下方に向かって先端部が突出するようにビットを備えた上ドライバー本体と上下開口部を設け外周面に凹凸を形成し前記上ドライバー本体の中央から上部にかけた外周面を覆う上ドライバー本体カバーからなる上ドライバーと、六角孔及びビット挿入孔を穿設した上接続部と中央から先端部が突出した状態でビットを備えた下接続部を備え中央部に磁石を内包するための磁石挿入部を備えた下ドライバー本体と上下開口部を設け表面に凹凸を形成し前記下ドライバー本体の上部外周面を覆う下ドライバー本体カバーからなり前記上ドライバーの接続部を六角孔に嵌入し同時に突出したビットの先端部をビット挿入孔に嵌入することで上ドライバーと着脱可能に連結される下ドライバーとからなることを特徴とする親子ドライバー。
【請求項２】
六角孔及びビット挿入孔を穿設した上接続部と中央から先端部が突出した状態でビットを備えた下接続部を備え中央部に磁石を内包するための磁石挿入部を備えた下ドライバー本体とからなることを特徴とする請求項１に記載の親子ドライバー。
【発明の詳細な説明】
【技術分野】
【０００１】
本発明は、ドライバーに関する改良発明である。
【背景技術】
【０００２】
従来、ドライバーは、作業場所に合わせて持ち手の長さが異なったものを使用しており、常に複数種のドライバーを持ち歩いて作業を行っていた。
【０００３】
また、特許文献１に示すように複数種類のビットを内包しネジに応じてビットを交換することができるものを使用していた。
【０００４】
しかしながら、作業現場に合わせて数種類の持ち手の長さが異なるドライバーを持ち歩くのは面倒であり、そのため工具用ベルトに刺して持ち歩くことがあるが、容易にベルトから落ちてしまい持ち手の短いドライバーなどは紛失しやすかった。
【特許文献１】特開２００３−２８５２７６号公報
【発明の開示】
【発明が解決しようとする課題】
【０００５】
そこで、本発明は、不要なビットを持ち歩く必要がなく、また使用頻度が最も高く持ち手の長さが異なる２つのドライバーを一つにまとめ、従来よりも更に取り扱いのし易いドライバーを提供することを目的とするものである。
【課題を解決するための手段】
【０００６】
本発明は、上記の課題を解決するために、上部が湾曲面４ａを形成し下部に接続部４ｄを備え更に接続部４ｄの底面から下方に向かって先端部が突出するようにビット４ｅを備えた上ドライバー本体４と上下開口部５ｄ、５ｅを設け外周面に凹凸５ｂを形成し前記上ドライバー本体４の中央から上部にかけた外周面を覆う上ドライバー本体カバー５からなる上ドライバー２と、
六角孔６ｉ及びビット挿入孔６ｊを穿設した上接続部６ａと中央から先端部が突出した状態でビット６ｃを備えた下接続部６ｂを備えた下ドライバー本体６と上下開口部７ｄ、７ｇを設け表面に凹凸７ａを形成し前記下ドライバー本体６の上部外周面を覆う下ドライバー本体カバー７からなり前記上ドライバー２の接続部４ｇを六角孔６ｉに嵌入し同時に突出したビット４ｅの先端部をビット挿入孔６ｊに嵌入することで上ドライバー２と着脱可能に連結される下ドライバー３とからなることを特徴とする親子ドライバー１の構成とした。
【発明の効果】
【０００７】
本発明の親子ドライバー１は、使用頻度の最も高く持ち手の長さが異なる２種類のドライバーを一体としたため、持ち運ぶ際は従来の１本分のドライバーで済み、通常の使用は従来の使用と違和感がなく使用することができる。上下方向の全長が短い上ドライバー２と上下方向の全長が長い下ドライバー３からなる。
【０００８】
また、通常使用している握りの部分を取り外すことで持ち手が短い上ドライバー２を分離することができ、持ち手の短いドライバーを別途用意する必要がない。
更に、持ち手の短い上ドライバー２は、持ち手の長い下ドライバー３では使用不可能な狭い箇所でも使用することができ極めて便利である。
【発明を実施するための最良の形態】
【０００９】
不要なドライバーやビットを持ち歩く必要がなく、一本のドライバーで多くの作業現場に対応することができるドライバーという目的を使用頻度の高い２つのドライバーを一体とすることによって実現した。
【実施例１】
【００１０】
図１は本発明である親子ドライバーの正面図、図２は親子ドライバーの斜視分解図、図３は親子ドライバーのＡ−Ａ線断面図である。
【００１１】
図１から図３に示すように、本発明である親子ドライバー１は、上部が湾曲面４ａを形成し下部に接続部４ｄを備え更に接続部４ｄの底面から下方に向かって先端部が突出するようにビット４ｅを備えた上ドライバー本体４と上下開口部５ｄ、５ｅを設け外周面に凹凸５ｂを形成し前記上ドライバー本体４の中央から上部にかけた外周面を覆う上ドライバー本体カバー５からなる全長が短い上ドライバー２と、
六角孔６ｉ及びビット挿入孔６ｊを穿設した上接続部６ａと中央から先端部が突出した状態でビット６ｃを備えた下接続部６ｂを備え中央部に磁石６ｍを内包するための磁石挿入部６ｋを備えた下ドライバー本体６と上下開口部７ｄ、７ｇを設け表面に凹凸７ａを形成し前記下ドライバー本体６の上部外周面を覆う下ドライバー本体カバー７からなり前記上ドライバー２の接続部４ｇを六角孔６ｉに嵌入し同時に突出したビット４ｅの先端部をビット挿入孔６ｊに嵌入することで上ドライバー２と着脱可能に連結される全長が長い下ドライバー３とからなる。
【００１２】
本発明である親子ドライバー１は、下ドライバー３を使用する場合は図１に示すように上ドライバー２と下ドライバー３を連結した状態で使用し、図２に示すように全長が長い下ドライバー３から前記下ドライバー３より全長が短い上ドライバー２を分離することで、上ドライバー２を使用することができる。各部材の詳細については、図４から図１５を使用して説明することとする。
【００１３】
図４は本発明である親子ドライバーの上ドライバー本体の正面図、図５は上ドライバー本体のＢ−Ｂ線断面図、図６は上ドライバー本体の平面図である。
【００１４】
図４から図６に示すように、上ドライバー本体４は、上部に上凹部４ｆを介して湾曲面４ａを形成し下部に傾斜部４ｃ及び下凹部４ｇを介して六角柱型の接続部４ｄを設け外周面に凹凸４ｂを形成している。
【００１５】
また、上ドライバー本体４は、前記接続部４ｄの底面中央から下方に向かって先端部が突出するようにビット４ｅを備えており、ビット４ｅの残りの４分の３程度は上ドライバー本体４内に位置している。
【００１６】
前記ビット４ｅの中央部より上部側には凹みが形成されており、この凹みに沿って上ドライバー本体４の内壁面には係止凸部４ｈが形成されている。そのため、上ドライバー本体４とビット４ｅはしっかりと連結された状態となっており、ビット４ｅが上ドライバー本体４から抜け落ちることはない。
【００１７】
図６に示すように、前記接続部４ｄは六角柱状をしており、更にビット４ｅも六角柱状をしている。また、上ドライバー本体４の外周面には凹凸４ｂが規則的に形成されている。
【００１８】
図７は本発明である親子ドライバーの下ドライバー本体の正面図、図８は下ドライバー本体のＣ−Ｃ線断面図、図９は下ドライバー本体のＤ−Ｄ線断面図である。
【００１９】
図７から図９に示すように、下ドライバー本体６は上凹部６ｄを介して六角孔６ｉ及びビット挿入孔６ｊを穿設し外周にガイドリング６ｎを取り付けた上接続部６ａを備え、傾斜部６ｅと下湾曲部６ｆ及び起伏部６ｇを介して下方に向かって径が小さくなってゆく下接続部６ｂを設け外周面に凹凸６ｈを形成している。
【００２０】
また、下ドライバー本体６は、下接続部６ｂの底面中央から下方に向かって先端部が突出するようにビット６ｃを備えており、ビット６ｃの上半分は下ドライバー本体６内に位置している。
【００２１】
前記ビット６ｃの上部には左右に張り出すように突出片６ｌが形成されており、この突出片６ｌによりビット６ｃは下ドライバー本体６から抜け落ちることはない。
【００２２】
前記下ドライバー本体６の上接続部６ａの中央に穿設された六角孔６ｉの底面中央には同じく六角形状のビット挿入孔６ｊが連設されており、下ドライバー本体６の内ビット挿入孔６ｊと前記ビット６ｃの上端との間にあたる位置には磁石挿入部６ｋが設けられており、この磁石挿入部６ｋに磁石６ｍが埋設されている。
【００２３】
図１０は本発明である親子ドライバーの上ドライバー本体カバーの正面図、図１１は上ドライバー本体カバーのＥ−Ｅ線断面図、図１２は上ドライバー本体カバーの底面図である。
【００２４】
図１０から図１２に示すように、上ドライバー本体カバー５は、上下開口部５ｄ、５ｅを備え外周面に凹凸５ｂを形成し、前記上ドライバー本体４の中央から上部を覆う部材である。
【００２５】
上ドライバー本体カバー５は内部が中空の略筒状をしているが、前記上ドライバー本体４の形状に合うように内壁面には複数の凹凸が形成されている。
【００２６】
即ち、最も径の大きい上開口部５ｅは湾曲面４ａの外周と、上中空５ｆは上凹部４ｆと
、中空５ｇは上ドライバー本体４と、下中空５ｈは傾斜部４ｃと、凸部５ｉは下凹部と、下開口部５ｄは接続部４ｄの上部とそれぞれ合うように形成されている。
【００２７】
図１３は本発明である親子ドライバーの下ドライバー本体カバーの正面図、図１４は下ドライバー本体カバーのＦ−Ｆ線断面図、図１５は下ドライバー本体カバーの底面図である。
【００２８】
図１３から図１５に示すように、下ドライバー本体カバー７は、上部７ｂに上開口部７ｄを形成し下部７ｃに下開口部７ｇを形成した筒状で、更に外周面に凹凸７ａを形成し前記下ドライバー本体６の上部外周面を覆う部材である。
【００２９】
前記上開口部７ｄの下部は径の大きい中空７ｅに繋がっており、更に中空７ｅの下部は下方に向かうに従って径が小さくなってゆく下空間７ｆに繋がり、下空間７ｆの下部は前記下開口部７ｇの上部に繋がっている。
【００３０】
下ドライバー本体カバー７は前記下ドライバー本体６の上凹部６ｄから傾斜部６ｅまでを覆っており、上開口部７ｄが上凹部６ｄと、中空７ｅが下ドライバー本体６と、下空間７ｆが傾斜部６ｅと、下開口部７ｇが傾斜部６ｅの下部とそれぞれ合うように形成されている。
【００３１】
以上のような部材で構成された上下ドライバー２、３を図２に示すように、上ドライバー２の接続部４ｄを下ドライバー３の六角孔６ｉに陥入し、同時に上ドライバー２の外部に突出しているビット４ｅを下ドライバー３のビット挿入孔６ｊに嵌入させて上下ドライバー２、３を連結する。
【００３２】
前記接続部４ｄは前述の通り、六角柱状をしており下ドライバー３の六角孔６ｉの径とほぼ同じに形成されているため、接続部４ｄは六角孔６ｉにしっかりと嵌入され回転することができない。また、前記ビット４ｅも前述の通り、六角柱状をしておりビット挿入孔６ｊの径とほぼ同じに形成されているため、ビット４ｅはビット挿入孔６ｊにしっかりと嵌入され回転することができない。
【００３３】
このように、上下ドライバー２、３が互いに連結された状態では、上下ドライバー２、３が異なった方向に回転することはなく、一つのドライバーとして違和感なく使用することができる。
【００３４】
更に、前述の通り下ドライバー本体６に穿設されたビット挿入孔６ｊの下側には磁石６ｍが埋設されており、上下ドライバー２、３が連結された状態では、上ドライバー２のビット４ｅの先端が磁石６ｍに最も近い位置となり、ビット４ｅが磁力により引きつけられた状態となっている。
【００３５】
そのため、上下ドライバー２、３は磁石６ｍの力で連結を強められており、使用中や持ち運んでいる際など上下ドライバー２、３が自然に外れてしまう事がない。尚、磁石６ｍの力によって上下ドライバー２、３は連結を強められているが、人の力を加えることによって容易に分離することができる程度の連結力である。
【図面の簡単な説明】
【００３６】
【図１】本発明である親子ドライバーの正面図である。
【図２】本発明である親子ドライバーの斜視分解図である。
【図３】本発明である親子ドライバーのＡ−Ａ線断面図である。
【図４】本発明である親子ドライバーの上ドライバー本体の正面図である。
【図５】本発明である親子ドライバーの上ドライバー本体のＢ−Ｂ線断面図である。
【図６】本発明である親子ドライバーの上ドライバー本体の平面図である。
【図７】本発明である親子ドライバーの下ドライバー本体の正面図である。
【図８】本発明である親子ドライバーの下ドライバー本体のＣ−Ｃ線断面図である。
【図９】本発明である親子ドライバーの下ドライバー本体のＤ−Ｄ線断面図である。
【図１０】本発明である親子ドライバーの上ドライバー本体カバーの正面図である。
【図１１】本発明である親子ドライバーの上ドライバー本体カバーのＥ−Ｅ線断面図である。
【図１２】本発明である親子ドライバーの上ドライバー本体カバーの底面図である。
【図１３】本発明である親子ドライバーの下ドライバー本体カバーの正面図である。
【図１４】本発明である親子ドライバーの下ドライバー本体カバーのＦ−Ｆ線断面図である。
【図１５】本発明である親子ドライバーの下ドライバー本体カバーの底面図である。
【符号の説明】
【００３７】
１      親子ドライバー
２      上ドライバー
３      下ドライバー
４      上ドライバー本体
４ａ    湾曲面
４ｂ    凹凸
４ｃ    傾斜部
４ｄ    接続部
４ｅ    ビット
４ｆ    上凹部
４ｇ    下凹部
４ｈ    係止凸部
５      上ドライバー本体カバー
５ａ    上部
５ｂ    凹凸
５ｃ    傾斜部
５ｄ    下開口部
５ｅ    上開口部
５ｆ    上中空
５ｇ    中空
５ｈ    下中空
５ｉ    凸部
６      下ドライバー本体
６ａ    上接続部
６ｂ    下接続部
６ｃ    ビット
６ｄ    上凹部
６ｅ    傾斜部
６ｆ    下湾曲部
６ｇ    起伏部
６ｈ    凹凸
６ｉ    六角孔
６ｊ    ビット挿入孔
６ｋ    磁石挿入部
６ｌ    突出片
６ｍ    磁石
６ｎ    ガイドリング
７      下ドライバー本体カバー
７ａ    凹凸
７ｂ    上部
７ｃ    下部
７ｄ    上開口部
７ｅ    中空
７ｆ    下空間
７ｇ    下開口部
【図１】
2008049417.tif 000003
【図２】
2008049417.tif 000004
【図３】
2008049417.tif 000005
【図４】
2008049417.tif 000006
【図５】
2008049417.tif 000007
【図６】
2008049417.tif 000008
【図７】
2008049417.tif 000009
【図８】
2008049417.tif 000010
【図９】
2008049417.tif 000011
【図１０】
2008049417.tif 000012
【図１１】
2008049417.tif 000013
【図１２】
2008049417.tif 000014
【図１３】
2008049417.tif 000015
【図１４】
2008049417.tif 000016
【図１５】
2008049417.tif 000017